(57)【要約】【課題】  オーガ軸取付部が除雪作業の妨げになる点を解決することで、狭い場所でも除雪作業を遂行することを可能するとともに、除雪作業部の走行抵抗が増加する点を解決することで、除雪作業部の走行抵抗の増加を抑えることを可能にする。【解決手段】  オーガ軸４５，４６に取付けることで雪を崩し且つ雪を機体幅中央に寄せ集める複数のオーガ爪４８，４９と、オーガ軸４５，４６の両端に取付けることでオーガハウジング３７の側壁近傍で除雪する雪を切込むとともにオーガ爪４８，４９のプロテクタの役目をなすサイドディスク６１，６１と、から構成した除雪機であって、サイドディスク６１，６１に中央が機体中心に向けて突出させた突出面６７，６７を形成し、この突出面６７，６７に倣って凹ました凹部７４，７４をオーガハウジング３７の側面６８，６８に形成した。【選択図】      図６
2006257836.tif 000002
【特許請求の範囲】
【請求項１】
機体の前部に除雪作業部を備えた除雪機であり、前記除雪作業部に、前記機体に取付けたオーガハウジングと、このオーガハウジングに支持部材を介して回転自在に取付けるオーガと、を備え、このオーガを、前記オーガハウジングの機体幅方向に水平に渡すオーガ軸と、このオーガ軸に取付けることで雪を崩し且つ雪を機体幅中央に寄せ集める複数のオーガ爪と、前記オーガ軸の両端に取付けることで前記オーガハウジングの側壁近傍で除雪する雪を切込むとともに前記オーガ爪のプロテクタの役目をなすサイドディスクと、から構成した除雪機であって、
前記サイドディスクに中央が機体中心に向けて突出させた突出面を形成し、この突出面に倣って凹ました凹部を前記オーガハウジングの側面に形成したことを特徴とする除雪機。
【発明の詳細な説明】
【技術分野】
【０００１】
本発明は、機体の前部に除雪作業部を備え、除雪作業部のオーガを回転することで機体の幅方向中央へ雪を掻き集め、掻き集めた雪をブロアへ導き、このブロアで跳ね上げた雪をシュータから外部に排出する除雪作業を行うことができる歩行型の除雪機に関するものである。
【背景技術】
【０００２】
除雪機として、オーガ、オーガハウジング、ブロア及びシュータで構成する除雪作業部を機体の前部に備えた歩行型の除雪機が実用に供されている。
実用の除雪機は、オーガハウジングにオーガを回転自在に取付け、オーガで機体の幅方向中央へ雪を掻き集め、除雪作業をできるようにすれば実用上十分であった。
【０００３】
このような除雪機として、オーガの両端部に除雪する雪を切込むとともにオーガ爪のプロテクタの役目をなすサイドディスクを設けたものが知られている（例えば、特許文献１参照。）。
【特許文献１】特開２００１−２０２３９号公報（第７頁、図１）
【０００４】
図８は従来の基本構成を説明する図であり、除雪機２００は、機体２０１の前部に除雪作業部２０２を備えたものであり、この除雪作業部２０２に、機体２０１に取付けるオーガハウジング２０３と、このオーガハウジング２０３に支持部材２０４，２０５を介して回転自在に取付けるオーガ２１０と、を備え、オーガハウジング２０３の両側面２０９，２０９に、機体幅外方に突出させたオーガ軸取付部２１１，２１１を形成し、オーガ２１０を、オーガ軸２０６と、このオーガ軸２０６に取付けた複数のオーガ爪２０７と、オーガ軸２０６の両端部に取付けたサイドディスク２０８，２０８と、から構成したものである。
【０００５】
しかし、除雪機２００では、オーガハウジング２０３の両側面に機体幅外方に突出させたオーガ軸取付部２１１，２１１を形成し、オーガ軸取付部２１１，２１１に支持部材２０４，２０５を介してオーガ軸２０６を回転自在に支持したものなので、狭い場所での除雪作業ではオーガ軸取付部２１１，２１１に樹木などがあたったり、突出したオーガ軸取付部２１１，２１１が除雪作業の妨げになることがあるという問題があった。
【０００６】
また、除雪機２００では、オーガハウジング２０３の両側面とサイドディスク２０８，２０８との隙間から除雪作業中に雪が進入しやすく、除雪作業部２０２の走行抵抗が増加することがあるという欠点があった。
【０００７】
そこで、オーガ軸取付部が除雪作業の妨げになることを防止することができるとともに、除雪作業部の走行抵抗が増加することを防止できる除雪機が望まれる。
【発明の開示】
【発明が解決しようとする課題】
【０００８】
本発明は、オーガ軸取付部が除雪作業の妨げになる点を解決し、狭い場所でも除雪作業を遂行することができる除雪機を提供するとともに、除雪作業部の走行抵抗が増加する点を解決し、除雪作業部の走行抵抗の増加を抑えることができる除雪機を提供することを課題とする。
【課題を解決するための手段】
【０００９】
請求項１に係る発明は、機体の前部に除雪作業部を備えた除雪機であり、除雪作業部に、機体に取付けたオーガハウジングと、このオーガハウジングに支持部材を介して回転自在に取付けるオーガと、を備え、このオーガを、オーガハウジングの機体幅方向に水平に渡すオーガ軸と、このオーガ軸に取付けることで雪を崩し且つ雪を機体幅中央に寄せ集める複数のオーガ爪と、オーガ軸の両端に取付けることでオーガハウジングの側壁近傍で除雪する雪を切込むとともにオーガ爪のプロテクタの役目をなすサイドディスクと、から構成した除雪機であって、サイドディスクに中央が機体中心に向けて突出させた突出面を形成し、この突出面に倣って凹ました凹部をオーガハウジングの側面に形成したことを特徴とする。
【００１０】
例えば、狭い場所でも除雪作業を遂行することができるとすれば、除雪機の利便性の向上を図ることができるので好ましいことであり、除雪作業部の走行抵抗の増加を抑えることができるとすれば、除雪機の除雪能力の向上を図ることできるので好都合である。
【００１１】
そこで、サイドディスクに中央が機体中心に向けて突出させた突出面を形成し、この突出面に倣って凹ました凹部をオーガハウジングの側面に形成した。
【００１２】
すなわち、サイドディスクに中央が機体中心に向けて突出させた突出面を形成し、この突出面に倣って凹ました凹部をオーガハウジングの側面に形成することで、除雪する雪がオーガハウジングの側面とサイドディスクとの隙間から侵入する雪を、オーガ軸を支持する支持部材廻りに直接的にかからなくすることができる。
【００１３】
また、突出面に倣って凹ました凹部をオーガハウジングの側面に形成することで、オーガ軸の端部廻りをオーガハウジングの側面から凹ますことができる。
【発明の効果】
【００１４】
請求項１に係る発明では、サイドディスクに中央が機体中心に向けて突出させた突出面を形成し、この突出面に倣って凹ました凹部をオーガハウジングの側面に形成したので、除雪する雪がオーガハウジングの側面とサイドディスクとの隙間から侵入する雪を、オーガ軸を支持する支持部材廻りに直接的にかからなくすることができる。これにより、除雪作業部の走行抵抗の増加を抑えることができる。この結果、除雪機の除雪能力の向上を図ることできるという利点がある。
【００１５】
また、突出面に倣って凹ました凹部をオーガハウジングの側面に形成したので、オーガ軸の端部廻りをオーガハウジングの側面から凹ますことができる。これにより、狭い場所でも除雪作業を遂行することができる。この結果、除雪機の利便性の向上を図ることができるという利点がある。
【発明を実施するための最良の形態】
【００１６】
本発明を実施するための最良の形態を添付図に基づいて以下に説明する。なお、図面は符号の向きに見るものとする。
図１は本発明に係る除雪機の斜視図であり、除雪機１０は、機体１１を伝動ケースで構成し、機体１１の左右下部に走行用の電動モータ１２（左の電動モータのみを示す）を取り付け、左右の電動モータ１２に走行部１３を連結し、機体１１の上部に除雪用のエンジン１４を取り付け、エンジン１４で駆動させる除雪作業部としてのオーガ装置１５を機体１１の前部に取り付け、このオーガ装置１５の後部およびエンジン１４をカバー２０で覆い、機体１１の上部から後上方へ左右の操作ハンドル１７，１８を延ばし、これら左右の操作ハンドル１７，１８間に操作盤１９を取り付け、作業者が左右の操作ハンドル１７，１８のグリップ１７ａ，１８ａを握った状態で操作盤１９の後から連れ歩く、自力走行式の歩行型作業機である。図中、１６は燃料を貯留する燃料タンクである。
【００１７】
左の操作ハンドル１７は、握ることで走行準備を完了し、且つ離すことで走行を停止させる走行準備レバー５４と、左の電動モータ１２を操作する左の旋回レバー５５と、右の操作ハンドル１８は、右側の電動モータ（図示せず）を操作する右の旋回レバー（図示せず）を備える。
【００１８】
すなわち、直進の場合には、走行準備レバー５４、左の旋回レバー５５及び右の旋回レバー（図示せず）の３つのレバーを同時に握り、右旋回の場合には、走行準備レバー５４、左の旋回レバー５５をそのまま維持し、右の旋回レバーのみを離す。
【００１９】
操作盤１９は、前進／後退及び前進／後退の速度を操作する速度調節レバー５６と、シュータ５３の向きを変えるシュータ操作レバー５７と、エンジン１４の回転数を制御するスロットルレバー５８と、を備える。、
【００２０】
走行部１３は、左の電動モータ１２の外側に左側走行部３０を備え、右の電動モータ（図示せず）の外側に右側走行部（図示せず）を備える。なお、右側走行部は、左側走行部と同じ構成なので説明を省略する。
左側走行部３０は、左の電動モータ１２に連結する左側の駆動輪３１を備え、この駆動輪３１の後方に左側の遊動輪３２を回転自在に備え、左側の駆動輪３１および遊動輪３２に左側のクローラベルト３３を巻き掛け、電動モータ１２で駆動輪３１を駆動することにより、クローラベルト３３を回転させるものである。なお、３４は駆動輪３１及び遊動輪３２を支持する走行フレームを示す。
【００２１】
この除雪機１０によれば、エンジン１４でオーガ装置１５を駆動させた状態で、左右の電動モータ１２で走行部１３の左右のクローラベルト３３を回転することにより、除雪機１０を走行させることができる。
【００２２】
図２は本発明に係る除雪機の側面図であり、オーガ装置１５は、機体１１の前部１１ａにブロアハウジング３５を設けるとともに、このブロアハウジン３５にオーガハウジング３７を設け、エンジン１４から前方に駆動軸３８を延出し、この駆動軸３８をブロアハウジング３５を貫通させてオーガハウジング３７内まで延ばし、この駆動軸３８の途中に且つブロアハウジング３５内に配置したブロア４０を設け、駆動軸３８の先端を車幅方向中央に配置した動力伝達部４３に連結し、動力伝達部４３から左右方向に向けてそれぞれ左右のオーガ軸４５，４６（右のオーガ軸４６は図１参照）を延ばし、左右のオーガ軸４５，４６にそれぞれ左右のオーガ４８，４９（４９は図１参照）を設けたものである。
【００２３】
エンジン１４は、クランク軸２５を鉛直方向に延ばしたバーチカルエンジンである。エンジン１４の動力を、機体（すなわち、伝動ケース）１１に収納されたオーガ用伝動機構２６を介して駆動軸３８に伝える。
このエンジン１４は、ピストン（図示せず）が往復動するシリンダ部５９を後方へ向けて配置するとともに、クランク軸２５を収納するクランク軸ケース２７の前面２７ａをオーガ装置１５の後面（すなわち、ブロアハウジング３５）に隣接するように配置した。
【００２４】
エンジン１４で駆動軸３８を回転することにより、駆動軸３８でブロア４０を回転するとともに、動力伝達部４３を介して左右のオーガ軸４５，４６を回転し、左右のオーガ軸４５，４６でそれぞれ左右のオーガ４８，４９を回転する。
【００２５】
この状態で、除雪機１０を前進させることにより、左右のオーガ４８，４９を雪に食い込ませて雪を崩し、崩した雪を左右のオーガ４８，４９で車幅方向中央に掻き集める。
掻き集めた雪をブロア４０で跳ね上げ、この跳ね上げた雪をブロアハウジング３５の上部３５ａに設けたシュータ５３で案内して所望位置に投雪する。
なお、カバー２０は、上カバー部２１と下カバー部２２とに分割可能に構成した。また、２９は走行フレーム３４と操作ハンドルを介して機体１１に掛渡したクッション（フレーム昇降機構）を示す。
【００２６】
図３は本発明に係る除雪機の除雪作業部の分解斜視図であり、除雪作業部（オーガ装置）１５は、ブロア４０（図２参照）を回転させるとともに動力を伝達する駆動軸３８と、この駆動軸３８の先端に設けた動力伝達部４３と、この動力伝達部４３から動力を受ける左右のオーガ軸４５，４６と、これらのオーガ軸４５，４６にそれぞれ取付けた左のオーガ爪４８，４８及び右のオーガ爪４９，４９と、オーガ軸４５，４６の左右に取付けたサイドディスク６１，６１と、オーガ軸４５，４６を回転自在に支持する左右のベアリング６３，６３と、左右のベアリング６３，６３をそれぞれ支持する支持部材６５，６５と、これらの駆動軸３８、動力伝達部４３、左右のオーガ軸４５，４６、サイドディスク６１，６１、ベアリング６３，６３及び支持部材６５，６５を覆うオーガハウジング３７と、からなる。
【００２７】
図中、６６・・・はオーガハウジング３７に支持部材６５，６５を止めるボルト、６８，６８はオーガハウジング３７の側面、６９はサイドディスク６１に形成した雪逃げ孔であって、サイドディスク６１とオーガハウジング３７との間に侵入した雪を円滑に外部排出できる孔である。
【００２８】
図４は本発明に係る除雪機の除雪作業部の正面図であり、サイドディスク６１は、オーガハウジング３７に取付状態で中央が機体中心に向けて突出させた突出面６７を形成した。
また、突出面６７の連続部分は機体幅外方に向けて形成した傾斜部６７ａ，６７ａを有するとともに、突出量を少なくとも支持部材６５を止めるボルト６６頭の高さまでとしたことを示す。７４ａは傾斜部６７ａに倣って形成した突出面６７のテーパ部である。
【００２９】
オーガハウジング３７は、ハウジング本体６２と、このハウジング本体６２に側面（サイドカバー）６８，６８をボルト６４・・・で固定するとともに前面及び下面を開口させたハウジングであり、オーガ軸４５，４６を支持する支持部７１，７１と、オーガ爪４８，４９で掻いた雪をブロア４０に導く導雪路（通路）７２と、この導雪路７２の後部上方にシュータ５３を取付ける筒部７３と、サイドディスク６１，６１の取付状態で突出面６７，６７に倣って凹まして側面に形成した凹部７４，７４と、を備える。
【００３０】
なお、オーガ４４は、オーガ軸４５，４６、オーガ爪４８，４９及びサイドディスク６１，６１から構成したものである。図中、７６・・・はサイドディスク６１，６１の倒れを防止するステー金具、７７，７７はオーガ爪４８，４９を支持する支持ステーである。
【００３１】
ここで、除雪作業部（オーガ装置）１５の組立方法の一例を説明する。先ず、オーガミッション（不図示）の出力軸である駆動軸３８に、オーガ爪４８，２９、サイドディスク６１，６１を組立済みのオーガ軸４５，５６を取付ける。次に、オーガ軸４５，５６に支持部材６５，６５、ベアリング６３，６３をこの順に挿入し、支持部材６５，６５に側面（サイドカバー）６８，６８をボルト６６・・・で固定し、側面（サイドカバー）６８，６８をハウジング本体６２にボルト６４・・・で固定し、組立を完了する。
【００３２】
図５は本発明に係る除雪機の除雪作業部の側面図であり、除雪機１０は、機体１１の前部に除雪作業部１５を備えた除雪機であり、除雪作業部１５に、機体１１に取付けたオーガハウジング３７と、このオーガハウジング３７に支持部材６５，６５を介して回転自在に取付けるオーガ４４と、を備え、このオーガ４４を、オーガハウジング３７の機体幅方向に水平に渡すオーガ軸４５，４６と、このオーガ軸４５，４６に取付けることで雪を崩し且つ雪を機体幅中央に寄せ集める複数のオーガ爪４８，４９と、オーガ軸４５，４６の両端に取付けることでオーガハウジング３７の側壁近傍で除雪する雪を切込むとともにオーガ爪４８，４９のプロテクタの役目をなすサイドディスク６１，６１と、から構成した除雪機であって、サイドディスク６１，６１に中央が機体中心に向けて突出させた突出面６７，６７を形成し、この突出面６７，６７に倣って凹ました凹部７４，７４をオーガハウジング３７の側面６８，６８に形成したものと言える。
【００３３】
例えば、狭い場所でも除雪作業を遂行することができるとすれば、除雪機の利便性の向上を図ることができるので好ましいことであり、除雪作業部の走行抵抗の増加を抑えることができるとすれば、除雪機の除雪能力の向上を図ることできるので好都合である。
【００３４】
図６は本発明に係る除雪機の除雪作業部の正面断面図である。
すなわち、サイドディスク６１，６１に中央が機体中心に向けて突出させた突出面６７，６７を形成し、この突出面６７，６７に倣って凹ました凹部７４，７４をオーガハウジング３７の側面６８，６８に形成することで、除雪する雪がオーガハウジング３７の側面６８とサイドディスク６１との隙間から侵入する雪を、オーガ軸４５を支持する支持部材６５廻りに直接的にかからなくすることができる。これにより、除雪作業部１５の走行抵抗の増加を抑えることができる。この結果、除雪機の除雪能力の向上を図ることできる。
【００３５】
また、突出面６７，６７に倣って凹ました凹部７４，７４をオーガハウジング３７の側面６８，６８に形成することで、オーガ軸４５の端部廻りをオーガハウジング３７の側面６８から凹ますことができる。これにより、狭い場所でも除雪作業を遂行することができる。この結果、除雪機の利便性の向上を図ることができる。
【００３６】
図７（ａ），（ｂ）は本発明に係る除雪機の比較説明図であり、（ａ）は比較例の除雪作業部（オーガ装置）１００を示し、（ｂ）は実施例の除雪作業部（オーガ装置）１５を示す。
（ａ）において、除雪作業部（オーガ装置）１００は、オーガハウジング１０２の側面１０３を機体に略平行に形成するとともに、フラットなサイドディスク１０５をオーガ軸１０４にオーガハウジング１０２の側面１０３に沿わせて取付けたものである。従って、サイドディスク１０５と側面１０３との隙間から除雪用の雪が矢印ａ１，ａ２の如くオーガ軸１０４を支持する支持部材１０６まで容易に入りやすく、走行抵抗が増えるということがある。
【００３７】
（ｂ）において、除雪作業部（オーガ装置）１５は、サイドディスク６１に中央が機体中心に向けて突出させた突出面６７を形成し、この突出面６７に倣って凹ました凹部７４をオーガハウジング３７の側面６８に形成したものである。従って、除雪する雪がオーガハウジング３７の側面６８とサイドディスク６１との隙間から侵入する雪を、オーガ軸４５を支持する支持部材６５廻りに直接的にかからなくすることができる。これにより、除雪作業部１５の走行抵抗の増加を抑えることができる。
【００３８】
尚、本発明に係る除雪機は、図１に示すように、除雪機１０は歩行型の除雪機であったが、これに限るものではなく、除雪作業部（オーガ装置）を機体前部に有する除雪機であればよい。
【産業上の利用可能性】
【００３９】
本発明に係る除雪機は、比較的狭い場所でも使用することの多い歩行型の除雪機に採用するのに好適である。
【図面の簡単な説明】
【００４０】
【図１】本発明に係る除雪機の斜視図である。
【図２】本発明に係る除雪機の側面図である。
【図３】本発明に係る除雪機の除雪作業部の分解斜視図である。
【図４】本発明に係る除雪機の除雪作業部の正面図である。
【図５】本発明に係る除雪機の除雪作業部の側面図である。
【図６】本発明に係る除雪機の除雪作業部の正面断面図である。
【図７】本発明に係る除雪機の比較説明図である。
【図８】従来の基本構成を説明する図である。
【符号の説明】
【００４１】
１０…除雪機、１１…機体、１５…除雪作業部（オーガ装置）、３７…オーガハウジング、４４…オーガ、４５，４６…オーガ軸、４８，４９…オーガ爪、６１…サイドディスク、６５…支持部材、６７…突出面、７４…凹部。
【図１】
2006257836.tif 000003
【図２】
2006257836.tif 000004
【図３】
2006257836.tif 000005
【図４】
2006257836.tif 000006
【図５】
2006257836.tif 000007
【図６】
2006257836.tif 000008
【図７】
2006257836.tif 000009
【図８】
2006257836.tif 000010